【手続補正書】
【提出日】平成19年3月5日(2007.3.5)
【手続補正１】
【補正対象書類名】明細書
【補正対象項目名】特許請求の範囲
【補正方法】変更
【補正の内容】
【特許請求の範囲】
【請求項１】  ネットワークに接続され、当該ネットワークを介して送信されてくる検索要求に対してデータベースの検索を行って検索結果を得る情報検索サーバと、
前記情報検索サーバの検索結果に関連し、少なくとも前記検索要求で指定される検索条件を含む関連情報を含むアイコン画像を生成するアイコン画像生成サーバと、
前記ネットワークに接続され、前記検索要求を前記情報検索サーバに送信するとともに、前記検索要求に対する前記検索結果に対応させて前記アイコン画像を表示する端末装置と
を具備することを特徴とする情報検索システム。
【請求項２】  前記端末装置は、ユーザの指示を入力する指示入力手段と、前記関連情報を表示させずに前記アイコン画像と前記検索結果とを対応させて第１管理領域に表示する第１管理領域制御手段と、
前記指示入力手段から前記第１管理領域に表示された前記アイコン画像の移動指示が入力された場合に、前記アイコン画像に関連するアイコン画像を第２管理領域に表示する第２管理領域制御手段とを具備し、
前記第２管理領域制御手段は、前記指示入力手段から所定の指示が入力された場合に、前記第２管理領域に表示されたアイコン画像に関連した関連情報に含まれる検索条件を表示する制御を行うことを特徴とする請求項１記載の情報検索システム。
【請求項３】  前記端末装置は、前記指示入力手段から所定の指示が入力された場合に、前記検索条件の一部を変更する関連情報処理手段を更に備え、
前記関連情報処理手段によって一部が変更された検索条件に基づいた検索結果を前記情報検索サーバから得ることを特徴とする請求項２記載の情報検索システム。
【請求項４】  前記第２管理領域制御手段は、前記指示入力手段から前記所定の指示が入力された場合に、変更される検索条件に代わる検索条件の候補を表示する制御を行い、
前記関連情報処理手段は、前記検索条件の一部を前記候補の中から選択された検索条件に代えることにより前記検索条件の一部を変更する
ことを特徴とする請求項３記載の情報検索システム。
【請求項５】  ネットワークを介して端末装置から検索要求を送信するステップと、
前記検索要求に対してデータベースの検索を行って検索結果を得るステップと、
前記検索結果に関連し、少なくとも前記検索要求で指定される検索条件を含む関連情報を含むアイコン画像を生成するステップと、
前記検索要求に対する前記検索結果に対応させて前記アイコン画像を前記端末装置に表示するステップと
を有することを特徴とする情報検索方法。
【請求項６】  前記アイコン画像を表示するステップは、前記関連情報を表示させずに前記アイコン画像と前記検索結果とを対応させて第１管理領域に表示するステップであり、
前記端末装置が備える指示入力手段から前記第１管理領域に表示された前記アイコン画像の移動指示が入力されたときに、前記アイコン画像に関連するアイコン画像を前記第１管理領域とは異なる第２管理領域に表示するステップと、
前記指示入力手段から所定の指示が入力されたときに、前記第２管理領域に表示されたアイコン画像に関連した関連情報に含まれる検索条件を表示するステップと、
前記指示入力手段から所定の指示が入力された場合に、前記検索条件の一部を変更するステップと、
一部が変更された検索条件に基づいた検索結果を前記ネットワークを介して得るステップと、
前記指示入力手段から前記所定の指示が入力された場合に、変更される検索条件に代わる検索条件の候補を表示するステップと、
前記検索条件の一部を前記候補の中から選択された検索条件に代えることにより前記検索条件の一部を変更するステップと
を有することを特徴とする請求項５記載の情報検索方法。
【請求項７】  ネットワークに接続され、当該ネットワークを介して送信されてくる検索要求に対してデータベースの検索を行って検索結果を得る情報検索サーバと、
前記情報検索サーバの検索結果に関連し、少なくとも前記検索要求で指定される検索条件を含む関連情報を含むアイコン画像を生成するアイコン画像生成サーバとを備え、
前記情報検索サーバは、前記検索結果に対応させて前記アイコン画像を前記ネットワークを介して送信することを特徴とする検索結果提供装置。
【請求項８】  前記データベースを検索するための検索条件は予め階層的に設定されており、前記アイコン画像生成サーバは、当該階層的に設定された検索条件の全て又は階層毎の検索条件を前記関連情報として前記アイコン画像に含めることを特徴とする請求項７記載の検索情報提供装置。
【請求項９】  前記アイコン画像生成サーバは、前記階層的に設定された検索条件を一度に又は階層毎に前記情報検索サーバ及び前記ネットワークを介して送信することを特徴とする請求項８記載の検索情報提供装置。
【請求項１０】  ネットワークを介して送信されてくる検索要求に対してデータベースの検索を行って検索結果を得るステップと、
前記検索結果に関連し、少なくとも前記検索要求で指定される検索条件を含む関連情報を含むアイコン画像を生成するステップと、
前記検索結果に対応させて前記アイコン画像を前記ネットワークを介して送信するステップと
を有することを特徴とする検索結果提供方法。
【請求項１１】  前記データベースを検索するための検索条件は予め階層的に設定されており、当該階層的に設定された検索条件の全て又は階層毎の検索条件を前記関連情報として前記アイコン画像に含めるステップと、
前記階層的に設定された検索条件を一度に又は階層毎に前記ネットワークを介して送信するステップを有することを特徴とする請求項１０記載の検索結果提供方法。
【請求項１２】  ネットワークに接続され、当該ネットワークに対して検索要求を送信するとともに、当該ネットワークを介して送信されてくる当該検索要求に対する検索結果と、当該検索結果に関連し、少なくとも前記検索要求で指定される検索条件を含む関連情報を含むアイコン画像とを対応づけて表示することを特徴とする検索結果表示装置。
【請求項１３】  ユーザの指示を入力する指示入力手段と、
前記関連情報を表示させずに前記アイコン画像と前記検索結果とを対応させて第１管理領域に表示する第１管理領域制御手段と、
前記指示入力手段から前記第１管理領域に表示された前記アイコン画像の移動指示が入力された場合に、前記アイコン画像に関連するアイコン画像を第２管理領域に表示する第２管理領域制御手段とを具備し、
前記第２管理領域制御手段は、前記指示入力手段から所定の指示が入力された場合に、前記第２管理領域に表示されたアイコン画像に関連した関連情報に含まれる検索条件を表示する制御を行うことを特徴とする請求項１２記載の検索結果表示装置。
【請求項１４】  前記指示入力手段から所定の指示が入力された場合に、前記検索条件の一部を変更する関連情報処理手段を更に備え、
前記関連情報処理手段によって一部が変更された検索条件による検索要求を前記ネットワークに対して送信することを特徴とする請求項１３記載の検索結果表示装置。
【請求項１５】  前記第２管理領域制御手段は、前記指示入力手段から前記所定の指示が入力された場合に、変更される検索条件に代わる検索条件の候補を表示する制御を行い、
前記関連情報処理手段は、前記検索条件の一部を前記候補の中から選択された検索条件に代えることにより前記検索条件の一部を変更する
ことを特徴とする請求項１４記載の検索結果表示装置。
【請求項１６】  ネットワークに対して検索要求を送信するステップと、
前記ネットワークを介して送信されてくる当該検索要求に対する検索結果と、当該検索結果に関連し、少なくとも前記検索要求で指定される検索条件を含む関連情報を含むアイコン画像とを対応づけて表示するステップと
を有することを特徴とする検索結果表示方法。
【請求項１７】  ネットワークを介して送信されてくる検索要求に対してデータベースの検索を行って検索結果を得るステップと、
前記検索結果に関連し、少なくとも前記検索要求で指定される検索条件を含む関連情報を含むアイコン画像を生成するステップと、
前記検索結果に対応させて前記アイコン画像を前記ネットワークを介して送信するステップと
を有するプログラムを記録することを特徴とするコンピュータ読み取り可能な記録媒体。
【請求項１８】  前記データベースを検索するための検索条件は予め階層的に設定されており、当該階層的に設定された検索条件の全て又は階層毎の検索条件を前記関連情報として前記アイコン画像に含めるステップを有するプログラムを記録することを特徴とする請求項１７記載のコンピュータ読み取り可能な記録媒体。
【請求項１９】  前記階層的に設定された検索条件を一度に又は階層毎に前記ネットワークを介して送信するステップを有するプログラムを記録することを特徴とする請求項１８記載のコンピュータ読み取り可能な記録媒体。
【請求項２０】  ネットワークに対して検索要求を送信するステップと、
前記ネットワークを介して送信されてくる当該検索要求に対する検索結果と、当該検索結果に関連し、少なくとも前記検索要求で指定される検索条件を含む関連情報を含むアイコン画像とを対応づけて表示するステップと
を有するプログラムを記録することを特徴とするコンピュータ読み取り可能な記録媒体。
【請求項２１】  前記アイコン画像を表示するステップは、前記関連情報を表示させずに前記アイコン画像と前記検索結果とを対応させて第１管理領域に表示するステップであり、
前記端末装置が備える指示入力手段から前記第１管理領域に表示された前記アイコン画像の移動指示が入力されたときに、前記アイコン画像に関連するアイコン画像を前記第１管理領域とは異なる第２管理領域に表示するステップと、
前記指示入力手段から所定の指示が入力されたときに、前記第２管理領域に表示されたアイコン画像に関連した関連情報に含まれる検索条件を表示するステップと
を有するプログラムを記録することを特徴とする請求項２０記載のコンピュータ読み取り可能な記録媒体。
【請求項２２】  前記指示入力手段から所定の指示が入力された場合に、前記検索条件の一部を変更するステップと、
一部が変更された検索条件による検索要求を前記ネットワークに対して送信するステップと
を有するプログラムを記録することを特徴とする請求項２１記載のコンピュータ読み取り可能な記録媒体。
【請求項２３】  前記指示入力手段から前記所定の指示が入力された場合に、変更される検索条件に代わる検索条件の候補を表示するステップと、
前記検索条件の一部を前記候補の中から選択された検索条件に代えることにより前記検索条件の一部を変更するステップと
を有するプログラムを記録することを特徴とする請求項２２記載のコンピュータ読み取り可能な記録媒体。